(57)【要約】      （修正有）【課題】強度を備えるとともに、釣糸に傷が付くのを好適に防止し、さらに慣性力を効果的に低減することができる魚釣用リールおよび魚釣用リールのスプールを提供する。【解決手段】魚釣用リールは、リール本体のフレーム間に回転可能に支持されるスプール１０を備えている。スプール１０は、糸巻胴部１１と、糸巻胴部１１の両端部から径方向外側に延在するフランジ部１２と、を備える。フランジ部１２は、糸巻胴部１１の両端部から円弧状のアール部１６を介して径方向外側に立ち上がる第一領域Ｓ１と、第一領域Ｓ１に連続して径方向外側に立ち上がる第二領域Ｓ２と、を備える。第二領域Ｓ２には、周方向に複数の孔部２０が形成されている構成とした。【選択図】図４
2018170987.tif 000002
【特許請求の範囲】
【請求項１】
リール本体のフレーム間に回転可能に支持されるスプールを備えた魚釣用リールであって、
前記スプールは、糸巻胴部と、前記糸巻胴部の両端部から径方向外側に立ち上がるフランジ部と、を備え、
前記フランジ部は、前記糸巻胴部の両端部から円弧状のアール部を介して径方向外側に立ち上がる第一領域と、前記第一領域から径方向外側に立ち上がる第二領域と、を備え、
前記第二領域には、周方向に複数の孔部が形成されていることを特徴とする魚釣用リール。
【請求項２】
前記孔部は、非円形状であることを特徴とする請求項１に記載の魚釣用リール。
【請求項３】
前記フランジ部の径方向最外部には、鍔部が設けられており、
前記孔部は、前記フランジ部の径方向において、前記円弧状のアール部の上端部と前記鍔部の下端部との間に形成されることを特徴とする請求項１または請求項２に記載の魚釣用リール。
【請求項４】
前記フランジ部の外径をＤ１、前記糸巻胴部の外径をＤ２、前記鍔部の内径をＤ３、前記孔部の最内側位置の径をＤ４、前記孔部の最外側位置の径をＤ５、前記円弧状のアール部の最外径をＤ６、とした場合に、これらの関係が、
Ｄ２＜Ｄ６≦Ｄ４＜Ｄ５≦Ｄ３＜Ｄ１
であることを特徴とする請求項１から請求項３のいずれか１項に記載の魚釣用リール。
【請求項５】
前記孔部は周方向に比べて径方向に長くされた長孔状に形成されていることを特徴とする請求項１から請求項４のいずれか１項に記載の魚釣用リール。
【請求項６】
前記孔部は、前記スプールの軸を通る径方向の基準線に対して径方向内側から径方向外側に向けて傾斜していることを特徴とする請求項５に記載の魚釣用リール。
【請求項７】
前記糸巻胴部は、径方向に延在する環状のリブ部を介してスプール軸に固定されており、
前記リブ部には、周方向に複数のリブ孔が形成されていることを特徴とする請求項１から請求項６のいずれか１項に記載の魚釣用リール。
【請求項８】
リール本体のフレーム間に回転可能に支持される魚釣用リールのスプールであって、
糸巻胴部と、前記糸巻胴部の両端部から径方向外側に立ち上がるフランジ部と、を備え、
前記フランジ部は、前記糸巻胴部の両端部から円弧状のアール部を介して径方向外側に立ち上がる第一領域と、前記第一領域から径方向外側に立ち上がる第二領域とを備え、
前記第二領域には、周方向に複数の孔部が形成されていることを特徴とする魚釣用リールのスプール。
【発明の詳細な説明】
【技術分野】
【０００１】
本発明は魚釣用リールおよび魚釣用リールのスプールに関する。
【背景技術】
【０００２】
一般に、ルアー等の疑似餌をキャストするために用いられる魚釣用リールとして、両軸受型の魚釣用リールが知られている。この魚釣用リールにおいて、キャスティング時には、クラッチ機構によってスプールをフリー状態に切り換え、釣竿を振り抜く操作でスプールを高速回転させ、ルアー等の擬似餌を繰り出している。
【０００３】
ところで、ルアーを所定のポイントに投入するキャスティング方法には、軽いルアーを使用して小さく釣竿を振りポイントにルアーを飛ばす釣法（ピッチングやスキッピング）が知られている。このような釣法でルアーをキャスティングする場合には、スプールの質量が大きいと、スプールの慣性力が大きくなって飛距離が延びなくなるおそれがある。
したがって、軽量のルアーをポイントに正確にキャスティング操作することが求められる釣りでは、スプールの慣性力を低減するように構成することが求められる。
【０００４】
従来、スプールの慣性力を低減するように構成した魚釣用リールとして、特許文献１に記載のものが知られている。
この魚釣用リールでは、スプールの糸巻胴部と、この糸巻胴部から立ち上がるフランジ部の立ち上がり部分に、複数の貫通孔を周方向に設けることでスプールを軽量化し、慣性力の低減を図っている。
【先行技術文献】
【特許文献】
【０００５】
【特許文献１】特開平１０−１６５０５７号公報
【発明の概要】
【発明が解決しようとする課題】
【０００６】
特許文献１では、前記したように、糸巻胴部から立ち上がるフランジ部の立ち上がり部分に複数の貫通孔が周方向に設けられている。ところで、スプールの糸巻胴部には、釣糸が一定の張力が掛かった状態で密に巻回される。このため、糸巻胴部から立ち上がるフランジ部の立ち上がり部分には、釣糸の巻回圧力によって軸方向外方に拡開する方向の大きな力が作用する。これにより、当該立ち上がり部分に変形が生じてフランジ部の外周部がリール本体の内側面に倒れて接触したり、貫通孔に接触した釣糸に糸癖や傷が付いて切断たりするおそれがあった。また、釣糸の巻回圧力によって貫通孔に接触する釣糸に糸癖がついたり、釣糸が切断してしまうおそれもあった。
【０００７】
また、釣糸から滴下した水分が、貫通孔を通じてスプール軸の軸受に浸入して付着する可能性があり、軸受性能の低下を来して、ルアーの飛距離が低下するおそれもあった。
【０００８】
本発明は、前記課題を解決し、強度を備えるとともに、釣糸に傷が付くのを好適に防止し、さらに慣性力を効果的に低減することができる魚釣用リールおよび魚釣用リールのスプールを提供することを課題とする。
【課題を解決するための手段】
【０００９】
このような課題を解決する本発明の魚釣用リールは、リール本体のフレーム間に回転可能に支持されるスプールを備えた魚釣用リールである。前記スプールは、糸巻胴部と、前記糸巻胴部の両端部から径方向外側に立ち上がるフランジ部と、を備えている。前記フランジ部は、前記糸巻胴部の両端部から円弧状のアール部を介して径方向外側に立ち上がる第一領域と、前記第一領域から径方向外側に立ち上がる第二領域と、を備えている。前記第二領域には、周方向に複数の孔部が形成されている。
【００１０】
この魚釣用リールでは、フランジ部の径方向外側の領域となる第二領域に孔部が形成されている。つまり、第一領域よりも第二領域のほうが開口面積を大きくとることができるので、スプールを効率よく軽量化できるとともに、スプールの慣性力を好適に低減することができる。これにより、軽量のルアーをポイントに正確にキャスティングすることができ、魚釣操作性が向上する。
【００１１】
また、第一領域に孔部が存在しないので、糸巻胴部から立ち上がるフランジ部の立ち上がり部分の強度を好適に確保することができる。したがって、釣糸の巻回圧力によってフランジ部の立ち上がり部分に変形が生じるのを防止することができる。
また、第一領域に孔部が存在しないので、釣糸の巻回圧力によって第一領域に釣糸が強く押し付けられても、釣糸に傷がつくこともなければ、釣糸に糸癖がつくこともない。
【００１２】
前記した魚釣用リールにおいて、前記孔部は、非円形状であるのがよい。このように構成することで、孔部が円形状に形成されている場合に比べて孔部の開口面積を大きくとることが可能となる。これにより、フランジ部の外周部周りの質量がより低減され、スプールの慣性力をより好適に低減することができる。
【００１３】
前記した魚釣用リールにおいて、前記フランジ部の最外部には、鍔部が設けられている。前記孔部は、前記フランジ部の径方向において、前記円弧状のアール部の上端部と前記鍔部の下端部との間に形成されるのがよい。このように構成することによって、スプールの強度を好適に確保することができる。したがって、釣糸の巻回圧力によって変形が生じるのを確実に防止することができる。
【００１４】
前記した魚釣用リールにおいて、前記フランジ部の外径をＤ１、前記糸巻胴部の外径をＤ２、前記鍔部の内径をＤ３、前記孔部の最内側位置の径をＤ４、前記孔部の最外側位置の径をＤ５、前記円弧状のアール部の最外径をＤ６、とした場合に、これらの関係が、Ｄ２＜Ｄ６≦Ｄ４＜Ｄ５≦Ｄ３＜Ｄ１であってもよい。
このように構成することによって、フランジ部の径方向外側の領域に孔部が好適に形成される。これにより、フランジ部の外周部周りの質量が低減され、スプールの慣性力を好適に低減することができる。これにより、軽量のルアーをポイントに正確にキャスティングすることができ、魚釣操作性の向上した魚釣用リールが得られる。
【００１５】
前記した魚釣用リールにおいて、前記孔部は周方向に比べて径方向に長孔状に形成されているのがよい。このように構成することによって、周方向における孔部の断面積を抑えつつ、フランジ部の外周部周りの質量を好適に低減することができる。したがって、孔部内に釣糸が食い込み難く、釣糸が傷つくのを好適に防止することができる。
【００１６】
前記した魚釣用リールにおいて、前記孔部は、前記スプールの軸を通る径方向の基準線に対して径方向内側から径方向外側に向けて傾斜しているのがよい。このように構成することによって、径方向の基準線に平行に孔部を設けた場合に比べて、傾斜させた分、径方向の狭いスペースを有効に利用して孔部を長く形成することができる。したがって、フランジ部の外周部周りの質量を効率よく低減することができる。
【００１７】
前記した魚釣用リールにおいて、前記糸巻胴部は、径方向に延在する環状のリブ部を介してスプール軸に固定されている。この場合には、前記リブ部に、周方向に間隔を空けて複数のリブ孔が形成されているのがよい。このように構成することによって、スプールのさらなる軽量化を図ることができる。
【００１８】
また、本発明の魚釣用リールのスプールは、リール本体のフレーム間に回転可能に支持されるスプールである。糸巻胴部と、前記糸巻胴部の端部から径方向外側に立ち上がるフランジ部と、を備えている。前記フランジ部は、第一領域と、この第一領域から径方向外側に立ち上がる第二領域と、を備えている。前記第一領域は、前記糸巻胴部の端部から円弧状のアール部を介して径方向外側に立ち上がっている。前記第二領域は、前記第一領域から径方向外側に立ち上がっている。前記第二領域には、周方向に複数の孔部が形成されている。
【００１９】
この魚釣用リールのスプールでは、フランジ部の径方向外側の領域となる第二領域に孔部が形成されている。つまり、第一領域よりも第二領域のほうが開口面積を大きくとることができるので、スプールを効率よく軽量化できるとともに、スプールの慣性力を好適に低減することができる。これにより、軽量のルアーをポイントに正確にキャスティングすることができ、魚釣操作性が向上する。
【００２０】
また、第一領域に孔部が存在しないので、糸巻胴部から立ち上がるフランジ部の立ち上がり部分の強度を好適に確保することができる。したがって、釣糸の巻回圧力によってフランジ部の立ち上がり部分に変形が生じるのを防止することができる。
また、第一領域に孔部が存在しないので、釣糸の巻回圧力によって第一領域に釣糸が強く押し付けられても、釣糸に傷がつくこともなければ、釣糸に糸癖がつくこともない。
【発明の効果】
【００２１】
本発明によれば、強度を備えるとともに、釣糸に傷が付くのを好適に防止し、さらに慣性力を効果的に低減することができる魚釣用リールおよび魚釣用リールのスプールが得られる。
【図面の簡単な説明】
【００２２】
【図１】本発明の第１実施形態に係る魚釣用リールを示す平面図である。
【図２】（ａ）はスプールの拡大斜視図、（ｂ）はスプールの拡大断面斜視図である。
【図３】スプールを示す図であり、（ａ）は左側面図、（ｂ）は断面図、（ｃ）は右側面図である。
【図４】（ａ）はスプールの各部の関係を説明するためのスプールの拡大部分断面図、（ｂ）は同じくスプールの第一領域と第二領域とを説明するための拡大部分側面図である。
【図５】本発明の第２実施形態に係る魚釣用リールのスプールを示す図であり、（ａ）は拡大斜視図、（ｂ）は拡大断面斜視図である。
【図６】スプールを示す図であり、（ａ）は左側面図、（ｂ）は断面図、（ｃ）は右側面図である。
【図７】本発明の第３実施形態に係る魚釣用リールのスプールを示す図であり、（ａ）は拡大斜視図、（ｂ）は拡大断面斜視図である。
【図８】スプールを示す図であり、（ａ）は左側面図、（ｂ）は断面図、（ｃ）は右側面図である。
【図９】変形例に係る魚釣用リールのスプールを示す図であり、（ａ）は拡大斜視図、（ｂ）は拡大断面斜視図である。
【発明を実施するための形態】
【００２３】
以下、本発明に係る魚釣用リールおよびスプールの実施形態について図面を参照して説明する。以下の説明において、「前後」「左右」を言うときは、図１に示した方向を基準とする。各実施形態において、同様の部分には同一の符号を付し重複する説明は省略する。
【００２４】
（第１実施形態）
図１に示すように、魚釣用リール１００は、左右フレーム２，３を備えたリール本体１を有している。リール本体１の後部において、左右フレーム２，３間にはスプール軸４が回転可能に支持されている。スプール軸４には釣糸が巻回されるスプール１０が一体的に固定されている。
スプール軸４の両端は、図１，図３（ｂ）に示すように、スプール１０の左右に延出している。両端部は、図示しないベアリング等を介して左右フレーム２，３（図１参照）に支持されている。
【００２５】
リール本体１の右側部には、図１に示すように、ハンドル軸５ａを介してハンドル５が回転可能に取り付けられている。リール本体１の右側部内には、ハンドル５の回転駆動力をハンドル軸５ａからスプール軸４に伝達する公知の駆動力伝達機構が配設されている。また、ハンドル軸５ａと駆動力伝達機構との間には、公知のドラグ機構が配設されている。ドラグ機構では、ドラグ調整体６の締め込み具合により、ハンドル５の回転駆動力の伝達、およびスプール１０から釣糸が引き出される際の制動力が調整される。
【００２６】
また、同じく右側部内には、スプール軸４を動力伝達状態と動力遮断状態に切り換える公知のクラッチ機構が配設されている。クラッチ機構は、スプール１０の後方の操作部材７を押し下げ操作することで、クラッチＯＮ状態からクラッチＯＦＦ状態に切り換える。また、クラッチ機構は、ハンドル５を回転操作することによって、クラッチＯＦＦ状態からクラッチＯＮ状態に復帰される。
【００２７】
リール本体１の前部には、往復移動して釣糸をスプール１０に均一に巻回させる公知のレベルワインド機構８が配置されている。レベルワインド機構８は、駆動力伝達機構を介して駆動され、左右に往復動される釣糸案内体８ａを備えている。
【００２８】
次に、スプール１０について説明する。スプール１０は、図２（ａ）（ｂ）、図３（ｂ）に示すように、中空円筒状の糸巻胴部１１と、糸巻胴部１１の左右両端部から径方向に立ち上がる左右のフランジ部１２，１２と、を備えている。スプール１０は、例えば、アルミニウム合金製であり、削り出しにより一体に形成されている。なお、スプール１０は、ＣＦＲＰ、ＧＦＲＰ等の繊維強化樹脂等によって形成することもできる。
【００２９】
糸巻胴部１１の内部中央部には、円板状のリブ部１３が一体に設けられている（図２（ｂ）参照）。リブ部１３は、糸巻胴部１１の内面に直交する状態に設けられている。リブ部１３には、周方向に複数のリブ孔１３ａが形成されている。リブ部１３の中央部には、円筒形状のスプール軸支持部１４が一体に設けられている。スプール軸支持部１４には、図３（ｂ）に示すように、スプール軸４が回り止め嵌合状態で挿通される。
【００３０】
フランジ部１２，１２は、糸巻胴部１１に巻回される釣糸が脱落するのを防止する役割をなし、糸巻胴部１１の両端部から径方向外側に立ち上がっている。フランジ部１２，１２の径方向最外部には、軸方向外方に向けて突出する鍔部１５が形成されている。
【００３１】
フランジ部１２，１２は、図４（ａ）（ｂ）に示すように、第一領域Ｓ１および第二領域Ｓ２の二つの領域を備えている。第一領域Ｓ１は、糸巻胴部１１の両端部から円弧状のアール部１６を介して径方向外側に立ち上がる領域である。つまり、第一領域Ｓ１は、フランジ部１２の立ち上り部分となる円弧状のアール部１６を少なくとも含んでいる。第一領域Ｓ１には、孔部等が形成されていない。したがって、釣糸の巻回圧力によって軸方向外方に拡開する方向の力がフランジ部１２，１２に対して作用した場合でも、フランジ部１２，１２の変形が好適に防止される。
【００３２】
第二領域Ｓ２は、第一領域Ｓ１から径方向外側に立ち上がる領域であり、フランジ部１２の立ち上り部分（円弧状のアール部１６）を含まない領域である。第二領域Ｓ２には、鍔部１５が含まれる。
【００３３】
第二領域Ｓ２には、フランジ部１２を軸方向に貫通する孔部２０が周方向に所定間隔を空けて複数並設されている（図２，図３各図参照）。孔部２０は、図４（ｂ）に示すように、軸方向から視て非円形状であり、周方向に比べて径方向に長くされた四辺形の長孔状に形成されている。孔部２０は、スプール１０の軸Ｏ１（スプール軸４の中心）を通る径方向の基準線Ｋ１に対してスプール１０の釣糸巻き取り方向（図中矢印方向）に径方向内側から径方向外側に向けてθ度傾斜している。基準線Ｋ１に対する孔部２０の傾斜角度θは、例えば、３０〜６０度の範囲に設定されることが好ましい。傾斜させることで、孔部２０の数を少なくしながら、孔部２０の断面積を大きく取ることができるので、強度低下を抑えて慣性モーメント低減が可能となる。
【００３４】
ここで、図４（ａ）に示すように、フランジ部１２の外径をＤ１、糸巻胴部１１の外径をＤ２、鍔部１５の内径（鍔部１５の下端部）をＤ３、孔部２０の最内側位置の径をＤ４、孔部２０の最外側位置の径をＤ５、アール部１６の最外径をＤ６、とした場合に、これらの関係が、次式（１）の関係を有するように設定されている。
Ｄ２＜Ｄ６≦Ｄ４＜Ｄ５≦Ｄ３＜Ｄ１・・・（１）
【００３５】
すなわち、第二領域Ｓ２において、孔部２０の形成される範囲は、アール部１６の最外径Ｄ６（円弧状のアール部１６の上端部）以上で鍔部１５の内径Ｄ３（鍔部１５の内径の円弧状アール部分の下端部）以下の範囲となっている。本実施形態では、図４（ａ）に示すように、アール部１６の最外径Ｄ６よりも幾分径方向外側となる位置から、鍔部１５の内径Ｄ３よりも幾分径方向内側となる位置で区画される領域を利用して孔部２０を形成している。つまり、孔部２０は、第二領域Ｓ２において、孔部２０の内側と外側とに若干のスペースを有して配置されている。これにより、若干のスペースを形成せずに孔部２０を形成した場合に比べて、孔部２０周りの強度が向上している。孔部２０の形成範囲は、第二領域Ｓ２の範囲内において、スプール１０の大きさ、形態、材質等を勘案し、スプール１０の慣性力と強度とを考慮して適宜設定される。
【００３６】
ここで、フランジ部１２の外径Ｄ１は、２８〜４２ｍｍの範囲に設定されることが好ましい。また、糸巻胴部１１の外径Ｄ２は、１７〜３８ｍｍの範囲に設定されることが好ましい。また、円弧状のアール部１６の半径Ｒは、１〜５ｍｍの範囲に設定されることが好ましい。以上のような範囲に設定されることによって、効率よく軽量化できるとともに、慣性力を好適に低減することができるスプール１０が得られる。
【００３７】
以上説明した本実施形態では、フランジ部１２の径方向外側の領域となる第二領域Ｓ２に孔部２０が形成されている。つまり、第一領域Ｓ１よりも径方向外方に形成される第二領域Ｓ２のほうが開口面積を大きくとることができるので、スプール１０を効率よく軽量化できるとともに、スプール１０の慣性力を好適に低減することができる。これにより、スプール１０のフリー回転性能を格段に向上させることができるため、軽量のルアーを狙ったポイントへ正確に投入操作するキャスティングが可能となるすることができ、魚釣操作性が向上する魚釣用リール１００が得られる。
【００３８】
また、第一領域Ｓ１に孔部２０が存在しないので、糸巻胴部１１から立ち上がるフランジ部１２の立ち上がり部分（アール部１６）の強度を好適に確保することができる。したがって、釣糸の巻回圧力によってアール部１６に変形が生じるのを防止することができる。
また、第一領域Ｓ１に孔部２０が存在しないので、釣糸の巻回圧力によって第一領域Ｓ１に釣糸が強く押し付けられても、釣糸に傷がつくこともなければ、釣糸に糸癖がつくこともない。
【００３９】
また、孔部２０は、非円形状であるので、円形状に形成されている場合に比べて孔部２０の開口面積を大きくとることが可能となる。これにより、フランジ部１２の外周部周りの質量がより低減され、スプール１０の慣性力をより好適に低減することができる。
【００４０】
また、孔部２０は、フランジ部１２の径方向において、円弧状のアール部１６の最外径Ｄ６と鍔部１５の内径Ｄ３とで区画される領域に形成されるので、スプール１０の強度を好適に確保することができる。したがって、釣糸の巻回圧力によって変形が生じるのを確実に防止することができる。
【００４１】
また、スプール１０は、各部の関係が、Ｄ２＜Ｄ６≦Ｄ４＜Ｄ５≦Ｄ３＜Ｄ１であるので、フランジ部１２の径方向外側の領域（第二領域Ｓ２）に孔部２０が好適に形成される。これにより、フランジ部１２の外周部周りの質量が低減され、スプール１０の慣性力を好適に低減することができる。これにより、軽量のルアーをポイントに正確にキャスティングすることができ、魚釣操作性の向上した魚釣用リールが得られる。
【００４２】
また、孔部２０は周方向に比べて径方向に長孔状に形成されているので、周方向における孔部２０の断面積を抑えつつ、フランジ部１２の外周部周りの質量を好適に低減することができる。したがって、孔部２０内に釣糸が食い込み難く、釣糸が傷つくのを好適に防止することができる。
【００４３】
また、孔部２０は、スプール１０の基準線Ｋ１に対して傾斜しているので、基準線Ｋ１に平行に孔部２０を設けた場合に比べて、傾斜させた分、径方向の狭いスペースを有効に利用して長く形成することができる。したがって、フランジ部１２の外周部周りの質量を効率よく低減することができる。
【００４４】
また、リブ部１３には、周方向に複数のリブ孔１３ａが形成されているので、スプール１０のさらなる軽量化を図ることができる。
【００４５】
（第２実施形態）
次に、図５、図６を参照して第２実施形態の魚釣用リールに適用されるスプールについて説明する。本実施形態が前記第１実施形態と異なるところは、フランジ部１２の外側部だけを軽くするために径方向に短い孔部２０Ａを設けている点である。
孔部２０Ａは、第１実施形態と同様に、周方向に所定間隔を空けて複数並設されている。孔部２０Ａは、図５、図６各図に示すように、側面視で非円形状であり、周方向に比べて径方向に幾分長くされた四辺形の孔状に形成されている。つまり、孔部２０Ａは、第１実施形態で説明した孔部２０よりも、径方向に短く形成されている。
また、孔部２０Ａは、図６（ａ）（ｃ）に示すように、スプール１０の軸Ｏ１（スプール軸４の中心）を通る径方向の基準線Ｋ１に対して径方向内側から径方向外側に向けて傾斜している。
【００４６】
本実施形態では、前記第１実施形態と同様の作用効果が得られる。加えて、孔部２０Ａは、第１実施形態の孔部２０よりも径方向に短く形成されているので、第二領域Ｓ２におけるアール部１６に近い側の強度を確保しつつ、スプール１０を効率よく軽量化できる。これにより、スプール１０の慣性力を好適に低減することができる。したがって、軽量のルアーをポイントに正確にキャスティングすることができ、魚釣操作性が向上する魚釣用リール１００が得られる。
【００４７】
（第３実施形態）
図７，図８を参照して第３実施形態の魚釣用リールに適用されるスプールについて説明する。本実施形態が前記第１，第２実施形態と異なるところは、左右のフランジ部１２，１２で孔部２０Ｂの傾斜方向が異なる点である。
【００４８】
図７（ａ）（ｂ）、図８（ｃ）に示すように、右のフランジ部１２において孔部２０Ｂは、前記実施形態と異なる方向となるスプール１０の釣糸繰り出し方向（図７（ａ）中矢印Ｘ１方向）に径方向内側から径方向外側に向けて傾斜している。一方、図７（ａ）（ｂ）、図８（ａ）に示すように、左のフランジ部１２において孔部２０Ｂは、前記実施形態と同様にスプール１０の釣糸巻き取り方向（図７（ａ）中矢印Ｘ２方向）に径方向内側から径方向外側に向けて傾斜している。
【００４９】
なお、左右のフランジ部１２，１２のいずれにおいても、孔部２０Ｂは、前記実施形態のものに比べて傾斜角度を急にしている（図８（ａ）（ｃ）参照）。これにより、径方向の狭いスペースを有効に利用して孔部２０Ｂをより長く形成することができる。したがって、フランジ部の外周部周りの質量をより一層効率よく低減することができる。
【００５０】
本実施形態によれば、左右のフランジ部１２，１２で孔部２０Ｂの傾斜方向が異なる。したがって、切削等により孔部２０Ｂを形成する際には、左右のフランジ部１２，１２で傾斜方向をいちいち変えずに、同じ傾斜方向で孔部２０Ｂを形成すればよく、生産性が向上する。
【００５１】
また、孔部２０Ｂは、前記実施形態のものに比べて傾斜角度を急にしている。これにより、径方向の狭いスペースを有効に利用して孔部２０Ｂをより長く形成することができる。したがって、フランジ部の外周部周りの質量をより一層効率よく低減することができる。
【００５２】
以上、本発明の実施形態について説明したが、本発明は、上記した実施形態に限定されることはなく、種々変形することが可能である。
例えば、前記各実施形態では、左右のフランジ部１２，１２の両方に孔部２０（２０Ａ，２０Ｂ）を設けたが、これに限られることはなく、左右いずれか一方にだけ設けてもよい。
【００５３】
また、前記各実施形態では、孔部２０（２０Ａ，２０Ｂ）の形状を長四角形状として説明したが、これに限られることはなく、長方形や、楕円形状、三角形状、多角形状、円形状等、種々の形状のものを採用することができる。
【００５４】
また、孔部２０（２０Ａ，２０Ｂ）は、周方向に円弧状に長く形成してもよいし、フランジ部１２を貫通しない穴としてもよい。
【００５５】
また、図９（ａ）（ｂ）に示すように、糸巻胴部１１に複数の胴部孔部１１ａを形成して、スプール１０の軽量化を図ってもよい。
【符号の説明】
【００５６】
１      リール本体
２，３      フレーム
４      スプール軸
５      ハンドル
１０    スプール
１１    糸巻胴部
１２    フランジ部
１５    鍔部
１６    アール部
２０    孔部
２０Ａ  孔部
２０Ｂ  孔部
【図１】
2018170987.tif 000003
【図２】
2018170987.tif 000004
【図３】
2018170987.tif 000005
【図４】
2018170987.tif 000006
【図５】
2018170987.tif 000007
【図６】
2018170987.tif 000008
【図７】
2018170987.tif 000009
【図８】
2018170987.tif 000010
【図９】
2018170987.tif 000011